(57)【要約】【課題】製造時及び施工時のコストの増大を防止し、建物の出隅部を見栄え良く仕上げることができるタイルを提供する。【解決手段】タイル１０は長方形の平板材からなり、長手方向における対向辺に、裏面１６に対しほぼ１３５°となるように傾斜部２０が形成されている。出隅部２８Ａでは、２枚のタイル１０の傾斜部２０が突き合わされることによって、ほぼ９０°の出隅部に対応した形状となり、これらのタイル１０が接着剤で下地サイディングに貼り付けられる。これにより、従来の役物タイルが不要となり、１枚の平面形状のタイル１０で平面、出隅部、入隅部等のすべての部位を施工できる。【選択図】  図１
2004225467.tif 000002
【特許請求の範囲】
【請求項１】
矩形の平板材であり、裏面を建造物の躯体壁面に接着して取り付けられるタイルであって、
前記平板材の裏面の四辺の少なくとも一辺の角部が面取られ傾斜部が形成されたことを特徴とするタイル。
【請求項２】
前記傾斜部は、前記平板材の裏面に対しほぼ１３５°となるように形成されていることを特徴とする請求項１に記載のタイル。
【請求項３】
前記平板材が、長方形であり、その長手方向における対向辺に前記傾斜部が形成されていることを特徴とする請求項１又は請求項２に記載のタイル。
【請求項４】
前記平板材の四辺の角部がすべて面取られ前記傾斜部が形成されていることを特徴とする請求項１又は請求項２に記載のタイル。
【発明の詳細な説明】
【０００１】
【発明の属する技術分野】
本発明は、木造住宅、鉄筋住宅などの建造物に用いられるタイルに関する。
【０００２】
【従来の技術】
従来、木造住宅、鉄筋住宅などの建造物の外壁には、陶器、磁器などの硬質のタイルが貼り付けられており、このような外壁用タイルとして、例えば図９及び図１０に示すようなタイル１００が一般的に知られている。
【０００３】
このタイル１００は、長方形の平板材からなり、この平板材の四辺は表面１０６とほぼ直角の小口１０４となっている。このタイル１００は、躯体壁面１０３の下地サイディング１０１に接着剤で貼着され、出隅部１０１Ａには、長辺部１１０とこれに対して直角をなす短辺部１１２とを有する折曲形状の役物タイル１１４が貼着されている（例えば、特許文献１参照。）。
【０００４】
【特許文献１】
特開平８−２７０２０１号公報（段落［０００６］、図４）
【０００５】
【発明が解決しようとする課題】
しかしながら、出隅部１０１Ａに接着された役物タイル１１４は、強風等による躯体の動きに追従して長辺部１１０と短辺部１１２の連結部にヒビや欠けなどの破損が発生することが多い。
【０００６】
また、役物タイル１１４は平面タイルとは別の金型で焼成して成形する必要があり、成形時に厚みなどの寸法が変わってくるという問題もある。
【０００７】
このため、標準仕様のタイル１００を中央部付近で切断し、さらに切断面を４５°に切断し、  両者の切断面を突き合わせて接着し役物タイルを手加工している。しかし、タイル１００は工場で生産したものがそのまま現場に搬入されるのに対し、手加工の役物タイルは一旦加工屋で接着加工を施した後、現場に搬入されることになり、工期の遅延につながる。
【０００８】
また、接着手加工、焼成品のいずれの場合も、役物タイルは平面タイルと別に作製する必要があるため、手間がかかり、施工コストが増大するという問題がある。
【０００９】
一方、役物タイル１１４を使用せずに出隅部１０１Ａも平面状のタイル１００で処理することも考えられるが、図１１に示すように、平面状のタイル１００の小口１０４が見えてくるため、見栄えが悪く、ほとんど行われていない。
【００１０】
本発明は、上記問題点に鑑みてなされたもので、役物タイルを使用せずに出隅部を見栄え良く仕上げることができるタイルを提供することを目的とする。
【００１１】
【課題を解決するための手段】
上記問題点を解決するために、請求項１に記載の発明は、矩形の平板材であり、裏面を建造物の躯体壁面に接着して取り付けられるタイルであって、前記平板材の裏面の四辺の少なくとも一辺の角部が面取られ傾斜部が形成されたことを特徴としている。
【００１２】
請求項１に記載の発明によれば、板状材の裏面の四辺の少なくとも一辺に傾斜部が形成されているので、出隅部で２枚のタイルの傾斜部を突き合わせて２枚のタイルがほぼ直角になるように配置し、これらのタイルの裏面を接着剤により躯体壁面に接着することができる。
【００１３】
このため、出隅部で傾斜部を突き合わせた分だけ、露出する小口の面積が小さくなるので見栄え良く納まり、また、タイルは平板材でできているため、平面、入隅等の躯体壁面のすべての部位を施工することができる。このため、従来用いられていた役物タイルが不要となり、タイルの生産工程が簡略化できるとともに、生産時及び施工時のコストを大幅に削減することができる。
【００１４】
請求項２に記載の発明は、前記傾斜部は、前記平板材の裏面に対しほぼ１３５°となるように形成されていることを特徴としている。
【００１５】
請求項２に記載の発明によれば、傾斜部が板状部材の裏面に対しほぼ１３５°となるように形成されているので、２枚のタイルの傾斜部を突き合わせることにより、出隅部で２枚のタイルをほぼ９０°の折曲形状となるように配設することができる。このため、出隅部を見栄え良く仕上げることができる。
【００１６】
請求項３に記載の発明は、前記平板材が、長方形であり、その長手方向における対向辺に前記傾斜部が形成されていることを特徴としている。
【００１７】
請求項３に記載の発明によれば、平板材の対向辺に傾斜部が設けられているので、長方形のタイルを横方向に接着する際に、タイルの向きに制約されることなく（向きを気にせず）、出隅部に２枚のタイルを効率良く貼り付けることができる。
【００１８】
請求項４に記載の発明は、前記平板材の四辺の角部がすべて面取られ前記傾斜部が形成されていることを特徴としている。
【００１９】
請求項４に記載の発明によれば、平板材の四辺に傾斜部が設けられているので、タイルを横方向に限らず縦方向に配列したときの縦方向の出隅部の見栄えも良くすることができる。
【００２０】
【発明の実施の形態】
以下、本発明におけるタイルの第１実施形態を図１〜図５に従って説明する。
【００２１】
図１に示すように、タイル１０は、長方形の平板材からなり、表面１４には光沢ある石目調の装飾が施され、裏面１６には接着性を高めるための凸状部１８が長手方向に沿って形成されている。タイル１０の長手方向における対向辺には、平板材の角部が面取られた傾斜部２０が形成されており、この傾斜部２０は平板材の裏面１６に対しほぼθ＝１３５°となっている。また、傾斜部２０が設けられた平板材の側面側は、表面１４とほぼ直角の小口１１となっている。
【００２２】
このようなタイル１０は、図２に示すように、木造住宅の躯体壁面１２の下地サイディング２８に接着剤で貼着されるものであり、複数のタイル１０が規則正しく配列されて躯体壁面全体に貼り付けられる。
【００２３】
ここで、上記タイル１０の施工方法について説明する。
【００２４】
図２及び図３に示すように、躯体壁面１２にはパネル２２が取り付けられ、このパネル２２の表面に防水紙２４が敷設される。防水紙２４の表面には、胴縁２６を介して下地サイディング２８がビス３０によって取り付けられ、下地サイディング２８の間にはコーキング３２が施される。なお、ビス３０に代えて釘を用いることもできる。
【００２５】
この下地サイディング２８の表面にはグレー又は黒に着色された一般的なタイル用接着剤３４が塗布され、その塗布面にタイル１０の裏面１６が貼り付けられる。その際、寒暖差によるタイルの熱膨張に対応するため、隣り合うタイル１０には２ｍｍ以上の隙間が設けられる。タイル１０の接着後、表面１４を押し付けることにより、傾斜部２０と下地サイディング２８との間、及び２枚のタイル１０の隙間に接着剤３４が入り込んでくる。このようにして順次複数のタイル１０が下地サイディング２８の全面に貼り付けられる。
【００２６】
図３及び図４に示すように、出隅部２８Ａでは２枚のタイル１０が傾斜部２０を突き合わせるように配置され、下地サイディング２８に貼り付けられる。この傾斜部２０はタイルの裏面１６に対しほぼ１３５°となるように形成されているので、各傾斜部２０を突き合わせることにより、２枚のタイル１０がほぼ９０°の折曲形状となる。このため、露出するタイルの小口１１の面積が小さくなり、出隅部２８Ａが見栄え良く納まる。
【００２７】
また出隅部２８Ａでは、図４に示すように、建物の壁面寸法に合わせて、タイル１０を長手方向と直交する方向に切断し、複数のタイルが交互に規則正しく配列するように貼り付けられている。
【００２８】
また、図３に示すように、入隅部２８Ｂではタイル１０が下地サイディング２８に貼り付けられ、そのタイル１０の表面と直角方向に当接するように次のタイル１０が貼り付けられている。なお、壁面の寸法に合わせてタイルを長手方向と直交する方向に切断して用いてもよい。
【００２９】
本実施形態によれば、一枚の形状のタイル１０を平面、出隅部、入隅部等の躯体壁面のすべての部位に用いることができる。また、長手方向における対向辺に傾斜部２０が設けられているので、タイルを横方向に接着する際にタイルの向きに制約されることなく、出隅部２８Ａに２枚のタイルを効率良く貼り付けることができる。従って、従来用いられていた役物タイルが不要となり、タイルの生産工程が簡略化されるとともに、生産時及び施工時のコストを大幅に削減することができる。また、生産、輸送、加工、施工の各場面において無駄な時間を短縮することができる。
【００３０】
ここで、タイルの製造方法について説明する。
【００３１】
タイル１０の製造には、図５（ａ）に示すように、タイル１０の外形をした一対の金型３６を用いる。金型内に一般的な磁器質タイルの原材料３８（例えば、粘土、珪石、長石、陶石など）を詰め込み重ね合わせる。その後、厚み方向の中央部付近を例えばピアノ線により切出し、図５（ｂ）に示すように金型３６を分割する。次に、金型３６を所定温度で焼成し、焼成後、金型３６からタイルを取り出し、表面に磨き加工などの装飾仕上げを施し、２枚のタイル１０を製造する。
【００３２】
なお、本実施形態では、焼成によりタイル１０を成形する方法を示したが、これに限らず、他の方法により製造してもよい。例えば、プレス成形、すなわちプレス機で磁器質タイルの原材料に圧力を加えて加工することにより、タイル１０を製造することができる。また、押し出し成形、すなわち磁器質タイルの原材料を加熱軟化して絞り口から押し出し、冷却して成形することにより、タイル１０を製造することもできる。
【００３３】
次に、本発明におけるタイルの第２実施形態を図６に基づいて説明する。
【００３４】
このタイル４０は、長方形の平板材の短辺の一つに傾斜部５０が設けられたものであり、この傾斜部５０は第１実施形態と同様に平板材の裏面に対しほぼ１３５°となるように形成されている。出隅部２８Ａでは、２枚のタイル４０が傾斜部５０を突き合わせるようにしてほぼ直角に配置され、下地サイディング２８に貼着されている。タイルの傾斜部５０が設けられていない側には、約２ｍｍ以上の隙間をおいて隣り合うタイル４０が貼着されている。
【００３５】
このようなタイル４０を用いることにより、出隅部２８Ａが見栄え良く納まり、一枚の形状のタイルを平面、出隅部、入隅部等の躯体壁面のすべての部位に用いることができる。
【００３６】
次に、本発明におけるタイルの第３実施形態を図７に基づいて説明する。
【００３７】
このタイル６０は、長方形の平板材の全辺に傾斜部７０が設けられており、この傾斜部７０は平板材の裏面に対しほぼ１３５°となるように形成されている。出隅部２８Ａでは、２枚のタイル６０が傾斜部７０を突き合わせるようにしてほぼ直角に配置され、下地サイディング２８に貼着されている。
【００３８】
このようなタイル６０を用いることにより、出隅部２８Ａが見栄え良く納まり、一枚の形状のタイルを平面、出隅部、入隅部等の躯体壁面のすべての部位に用いることができる。また、タイル６０の全辺に傾斜部７０が設けられているので、図８に示すように、タイルを横方向に限らず縦方向に配列して貼り付ける際にも、２枚のタイルの傾斜部７０を突き合わせてほぼ９０°に配置することができる。このため、タイルの配列方向の制約を受けることなく、効率よくタイルを貼り付けることができるとともに、縦方向の出隅部の見栄えも良くすることができる。
【００３９】
なお、本実施形態では、タイルとして長方形のものを用いたが、この形状に限定されるものではなく、例えば正方形のものを使用することもできる。
【００４０】
また、本実施形態では、出隅部にタイルを貼り付ける場合を図示したが、これに限定されるものではなく、例えばバルコニーの手すりなど、建物のあらゆるコーナー部にタイルを貼り付ける際にも適用可能である。また、建物の外壁に限らず、内壁に使用することもできる。
【００４１】
なお、本実施形態のタイルは、サッシの上下等の平面に縦方向に貼り付けると、水切りとして使用することもできる。
【００４２】
【発明の効果】
本発明に係るタイルによれば、建造物の出隅部を見栄え良く納めることができ、従来用いられていた役物タイルが不要となる。このため、タイルの生産工程を簡略化できるとともに、生産時及び施工時のコストを大幅に削減することができる。
【図面の簡単な説明】
【図１】本発明の第１実施形態に係るタイルを示す分解斜視図である。
【図２】本発明の第１実施形態に係るタイルが貼着された建造物の外壁を示す図である。
【図３】本発明の第１実施形態に係るタイルが貼着された状態を示す平断面図である。
【図４】本発明の第１実施形態に係るタイルが貼着された出隅部の状態を示す斜視図である。
【図５】本発明の第１実施形態に係るタイルの製造方法を説明する図である。
【図６】本発明の第２実施形態に係るタイルが貼着された出隅部の状態を示す斜視図である。
【図７】本発明の第３実施形態に係るタイルが貼着された出隅部の状態を示す斜視図である。
【図８】本発明の第３実施形態に係るタイルが出隅部で縦方向に貼着された状態を示す斜視図である。
【図９】従来のタイルが貼着された出隅部の状態を示す斜視図である。
【図１０】従来のタイルが貼着された状態を示す平断面図である。
【図１１】従来の平面状タイルを出隅部に使用した例を示す斜視図である。
【符号の説明】
１０，４０，６０    外壁用タイル
１４                                表面
１６                            裏面
２０，５０，７０    傾斜部
【図１】
2004225467.tif 000003
【図２】
2004225467.tif 000004
【図３】
2004225467.tif 000005
【図４】
2004225467.tif 000006
【図５】
2004225467.tif 000007
【図６】
2004225467.tif 000008
【図７】
2004225467.tif 000009
【図８】
2004225467.tif 000010
【図９】
2004225467.tif 000011
【図１０】
2004225467.tif 000012
【図１１】
2004225467.tif 000013